(57)【要約】      （修正有）【課題】避難用、防犯用にすぐれた面格子等にとりつけられる錠および施錠装置を提供する。【解決手段】操作部材の中空部に連設している把手部５の中空内部に作動ロッド７の端部が位置し、アーム８の一端が遊嵌状態で係合している。８ａは係合突起で作動ロッドの係合孔７ａに遊嵌している。アーム８の他端の係合孔８ｂには回転カム９の係合突起９ａが遊嵌状態で係合されている。回転カムは把手部５にビス止め等でとりつけられる壁部（蓋部）１０に回転可能に軸支されている。９ｂは軸部、１０ａは軸孔である。軸部の先端は壁部の外側で回転レバー１１に止具１３でとりつけられている。レバーの下方には壁部の挿入孔１０ｂに対して突出、没入自在にロックボタン１２がコイルバネ１２ａを介して把手部の嵌合突起５ａに弾支されている。【選択図】図３
0003131565.tif 000002
【実用新案登録請求の範囲】
【請求項１】
開口枠の縦枠にたいして室内側に突出するように、その一端がとりつけられる短尺の受部材と、その受部材の他端に、その一端が水平位置と垂直位置の間を回転可能に枢支される中空パイプ状の長尺の操作部材とを備えており、該操作部材の他端には把手部が形成されており、一方上記受部材の中空部に挿入される短尺の錠ロッドと、その錠ロッドの一端に、その一端が水平位置と垂直位置の間を回転可能に枢支され、上記操作部材の中空部に挿入される長尺の作動ロッドとを備えており、さらに該作動ロッドの他端は把手部の中空内部においてアームの一端に遊嵌状態で係合されており、該アームの他端は、把手部の壁部に回転可能に軸支されている回転カムに遊嵌状態で係合されており、さらに回転カムの軸部には壁部の外側に位置する回転レバーがとりつけられており、かつ該回転レバーの下方には、上記壁部にたいして突出、没入自在にロックボタンが弾支されており、該ロックボタンが突出状態では回転レバーの回転が阻止されており、没入の状態では回転レバーが回転可能に形成されており、解錠に際しては上記操作部材を水平位置にした状態で、ロックボタンを没入の状態とし、次いで回転レバーの回転と共に回転カムが回転し、アームを室内側に移動させることによって作動ロッドとともに錠ロッドが室内側に移動して錠ロッドの一端が受部材より突出している状態から没入する方向に移動して解錠し、さらに施錠に際しては上記回転レバーを回転することにより回転カムを介してアームを外側に移動させることによって作動ロッドおよび錠ロッドを外側に移動し、錠ロッドの一端が受部材より所定長さ突出した状態で操作部材の枢支部と作動ロッドの枢支部が合致して垂直位置に回転した際に施錠状態を保持することを特徴とする錠。
【請求項２】
把手部の壁部には、ロックボタンより外方および下方に、ロックボタンの突出巾程度かそれ以上の巾の張出部が形成されていることを特徴とする請求項１記載の錠。
【請求項３】
請求項１又は請求項２に記載の錠における錠ロッドが面格子等の引戸の錠受口に挿入係合されて、引戸の移動を阻止して引戸を施錠状態に保持することを特徴とする施錠装置。
【考案の詳細な説明】
【技術分野】
【０００１】本考案は面格子等の施錠に用いる錠およびその錠を用いた施錠装置に関する。
【背景技術】
【０００２】従来面格子等の施錠用としての防犯に優れている錠は知られている。たとえば特開２０００−８７３３号として公知である。
近年より一層防犯用に効果のあるかつ避難の際に簡単な操作で脱出できる面格子等が要求されている。
【考案の開示】
【考案が解決しようとする課題】
【０００３】上記従来の錠は開口枠の縦枠にたいして直角に室内側に突出するように、その一端がとりつけられる短尺の受部材と、その受部材の他端に、その一端が水平位置と垂直位置の間を回転可能に枢支される中空パイプ状の長尺の操作部材とを備えており、該操作部材の他端にはストッパ部が形成されており、一方上記受部材には短尺の錠ロッドが挿入され、上記操作部材にはその中空部に長尺の作動ロッドが挿入され、かつ錠ロッドの一端に作動ロッドの一端が水平位置と垂直位置の間を回転可能に枢支されており、該作動ロッドの他端には該ロッドを押動する把手部が上記ストッパ部に係脱可能に形成されており、解錠に際しては上記操作部材を水平位置にした状態で、把手部を操作してストッパ部と把手部との係合を解き、次いで把手部を室内側に引くことによって作動ロッドとともに錠ロッドが移動して錠ロッドの一端が受部材より突出している状態から、没入して解錠し、さらに施錠に際しては把手部を外側に押動してストッパ部と係合の状態とし、ついで操作部材を回転して垂直位置に保持することを特徴とする構成である。
かかる錠は通常の使用状態では操作部材を垂直状態にして施錠状態を保持しており、夏の暑い時期において就寝中に涼風を求める場合、あるいは換気、通風を要する場合には室内のサッシ窓を開けて、操作部材を倒して水平状態に保ち、把手部を室内に入れた状態で施錠状態を保持している。【０００４】ところが操作部材の長さが短めでサッシ窓の内側近傍にあると、凶悪犯人が面格子の外側から棒材や小道具を使って把手部とストッパ部との係合を解き、さらに把手部を室内側に押動して解錠する虞れがないとは言えず、かかる防犯構造のさらなる改良が要求されていた。
本考案は上記従来のストッパ部と把手部との係合、脱出構造を改良して面格子の外側から凶悪犯人が解錠できない構造にしたことを特徴とするものである。
【課題を解決するための手段】
【０００５】本考案はつぎの特徴を備えている。
その一つは「開口枠の縦枠にたいして室内側に突出するように、その一端がとりつけられる短尺の受部材と、その受部材の他端に、その一端が水平位置と垂直位置の間を回転可能に枢支される中空パイプ状の長尺の操作部材とを備えており、該操作部材の他端には把手部が形成されており、一方上記受部材の中空部に挿入される短尺の錠ロッドと、その錠ロッドの一端に、その一端が水平位置と垂直位置の間を回転可能に枢支され、上記操作部材の中空部に挿入される長尺の作動ロッドとを備えており、さらに該作動ロッドの他端は把手部の中空内部においてアームの一端に遊嵌状態で係合されており、該アームの他端は、把手部の壁部に回転可能に軸支されている回転カムに遊嵌状態で係合されており、さらに回転カムの軸部には壁部の外側に位置する回転レバーがとりつけられており、かつ該回転レバーの下方には、上記壁部にたいして突出、没入自在にロックボタンが弾支されており、該ロックボタンが突出状態では回転レバーの回転が阻止されており、没入の状態では回転レバーが回転可能に形成されており、解錠に際しては上記操作部材を水平位置にした状態で、ロックボタンを没入の状態とし、次いで回転レバーの回転と共に回転カムが回転し、アームを室内側に移動させることによって作動ロッドとともに錠ロッドが室内側に移動して錠ロッドの一端が受部材より突出している状態から没入する方向に移動して解錠し、さらに施錠に際しては上記回転レバーを回転することにより回転カムを介してアームを外側に移動させることによって作動ロッドおよび錠ロッドを外側に移動し、錠ロッドの一端が受部材より所定長さ突出した状態で操作部材の枢支部と作動ロッドの枢支部が合致して垂直位置に回転した際に施錠状態を保持することを特徴とする錠」である。【０００６】その二つは「上記構成において、把手部の壁部にはロックボタンより外方および下方にロックボタンの突出巾程度かそれ以上の巾の張出部が形成されていることを特徴とする錠」である。【０００７】その三つは「上記構成の錠において、錠ロッドが面格子等の引戸の錠受口に挿入係合されて、引戸の移動を阻止して引戸を施錠状態に保持することを特徴とする施錠装置」である。
【考案の効果】
【０００８】本考案の錠は、開口枠の縦枠にたいして室内側に突出するように、その一端がとりつけられる短尺の受部材と、その受部材の他端に、その一端が水平位置と垂直位置の間を回転可能に枢支される中空パイプ状の長尺の操作部材とを備えており、該操作部材の他端には把手部が形成されており、一方上記受部材の中空部に挿入される短尺の錠ロッドと、その錠ロッドの一端に、その一端が水平位置と垂直位置の間を回転可能に枢支され、上記操作部材の中空部に挿入される長尺の作動ロッドとを備えており、さらに該作動ロッドの他端には把手部の中空内部においてアームの一端に遊嵌状態で係合されており、該アームの他端は、把手部の壁部に回転可能に軸支されている回転カムに遊嵌状態で係合されており、さらに回転カムの軸部には壁部の外側に位置する回転レバーがとりつけられており、かつ該回転レバーの下方には、上記壁部にたいして突出、没入自在にロックボタンが弾支されており、該ロックボタンが突出状態では回転レバーの回転が阻止されており、没入の状態では回転レバーが回転可能に形成されており、解錠に際しては上記操作部材を水平位置にした状態で、ロックボタンを没入の状態とし、次いで回転レバーの回転と共に回転カムが回転し、アームを室内側に移動させることによって作動ロッドとともに錠ロッドが室内側に移動して錠ロッドの一端が受部材より突出している状態から没入する方向に移動して解錠し、さらに施錠に際しては上記回転レバーを回転することにより回転カムを介してアームを外側に移動させることによって作動ロッドおよび錠ロッドを外側に移動し、錠ロッドの一端が受部材より所定長さ突出した状態で操作部材の枢支部と作動ロッドの枢支部が合致して垂直位置に回転した際に施錠状態を保持することを特徴とする錠であり、通常の使用状態では操作部材が垂直の状態で保持されて施錠状態を保ち、またサッシ窓を開けて涼風、通風、換気を求めるには操作部材を水平に倒して先端の把手部を室内にいれた状態で施錠状態を保持している。【０００９】解錠するには把手部をもってロックボタンを指で押さえて壁部の中に没入し、次いで回転レバーを回転すれば回転カムとアームを介して作動ロッドおよび錠ロッドが室内側に移動して解錠されるので、操作が簡単で小人でも容易にできる。【００１０】さらにまた凶悪犯人が面格子の外側から棒材や小道具を使って解錠操作をしようとしても、回転レバーがロックボタンに当たり回転が阻止されるので、解錠できない。解錠するにはロックボタンを没入する操作とそれと連動して回転レバーを回転する操作をしなければならず、これら二つの操作を面格子の外側の離れた距離からは実行できず解錠される虞れは皆無である。【００１１】本考案の錠は、把手部の壁部にはロックボタンより外方および下方にロックボタンの突出巾程度かそれ以上の巾の張出部を形成し、回転レバーと張出部によりロックボタンが三方から囲まれるような構成にすれば、面格子の外側からの棒材や小道具による操作ではロックボタンに触れることすら困難となり、ロックボタンを没入できず、よって解錠できず防犯効果の優れた錠および施錠装置となる。
【考案を実施するための最良の形態】
【００１２】本考案の錠および施錠装置の実施形態を図面を用いて以下に説明する。
図１は本考案錠の施錠状態の略正面図で、操作部材を回転して水平位置に倒した状態を示す。図２は同じく略正面図で、操作部材を垂直位置に起こした状態を示す。本考案の錠および施錠装置は、施錠、解錠にかかる基本的な構成は前記文献に記載の構成と同様であり、具体的な構成において新規かつ特有の構成を有している。
図１、図２において、１は本考案の錠で、面格子の開口枠の縦枠２に対して室内側（サッシ窓側）に突出するように、短尺の受部材３の一端がとりつけられている。該受部材の他端には中空パイプ状の長尺の操作部材４の一端が水平位置と垂直位置の間を回転可能に枢支されている。【００１３】該操作部材の他端には把手部５が形成されている。
一方受部材の中空部には短尺の錠ロッド６が挿入されており、その錠ロッドの一端に、その一端が水平位置と垂直位置の間を回転可能に枢支される長尺の作動ロッド７が上記操作部材の中空部に挿入されている。操作部材および作動ロッドが図１の水平位置の状態から図２の垂直位置の状態に回転するには両部材の枢支部の位置が一致していることは当然である。【００１４】図３は把手部における要部構成部材の分解斜視図である。操作部材の中空部に連設している把手部５の中空内部に作動ロッド７の端部が位置し、アーム８の一端が遊嵌状態で係合している。８ａは係合突起で作動ロッドの係合孔７ａに遊嵌している。【００１５】アーム８の他端の係合孔８ｂには回転カム９の係合突起９ａが遊嵌状態で係合されている。該回転カムは把手部５にビス止め等でとりつけられる壁部（蓋部）１０に回転可能に軸支されている。９ｂは軸部、１０ａは軸孔である。該軸部の先端は壁部の外側で回転レバー１１に止具１３でとりつけられている。【００１６】該レバーの下方には壁部の挿入孔１０ｂにたいして突出、没入自在にロックボタン１２がコイルバネ１２ａを介して把手部の嵌合突起５ａに弾支されている。
回転レバーはロックボタンが突出状態であれば、それが障壁となり回転が阻止されており、没入状態で回転可能に形成されている。レバーの回転順序は、把手部をもち、指でロックボタンをバネの付勢力に抗して挿入孔に没入し、ついでレバーを反時計方向、図１の矢印方向に回転する。【００１７】回転レバーの回転により回転カムが回転し、このカムの係合突起９ａに係合しているアームが室内側に移動し、同時に該アームに係合している作動ロッドおよび錠ロッドも室内側に移動する。言わば錠ロッドは受部材より突出の状態から没入する方向に移動して面格子の引戸の縦桟１４の錠受口１４ａから外れて解錠される。
１５は操作部材に形成している突起で、操作部材を垂直に立てた際に開口枠の縦枠の挿入孔および引戸のたて桟の挿入孔に挿入され施錠状態を維持する、図２参照。【００１８】図４は本考案錠の別の実施例を示す。この実施例の特徴は、把手部の壁部（蓋部）１０にはロックボタン１２より外方および下方に、ロックボタンの突出巾程度か、それ以上の巾の張出部１０ｃを一体に設けている。よってロックボタンが回転レバーと張出部により、三方が囲まれる。かかる構成によってロックボタンを面格子の外側から棒材や小道具を用いて壁部（蓋部）側に押動して没入しようとしても、レバーや張出部に邪魔されてロックボタンを没入させることができない。よって回転レバーも回転できず解錠できない。
以上本考案の実施例について説明したが、本考案はこれに限定されず、本考案の技術思想を逸脱しない範囲の設計変更は可能である。
【図面の簡単な説明】
【００１９】
【図１】本考案錠の一実施例を示し施錠状態の略正面図で、操作部材を回転して水平位置の状態を示す。
【図２】図１に示す錠において操作部材を回転して垂直位置の状態を示す。
【図３】図１に示す錠の要部構成部品の分解斜視図である。
【図４】本考案錠の別の実施例を示す要部斜視図ある。
【符号の説明】
【００２０】１      錠
２      縦枠
３      受部材
４      操作部材
５      把手部
５ａ    嵌合突起
６      錠ロッド
７      作動ロッド
７ａ    係合孔
８      アーム
８ａ    係合突起
８ｂ    係合孔
９      回転カム
９ａ    係合突起
９ｂ    軸部
１０    壁部（蓋部）
１０ａ  軸孔
１０ｂ  挿入孔
１０ｃ  張出部
１１    回転レバー
１２    ロックボタン
１２ａ  コイルバネ
１３    止具
１４    たて桟
１４ａ  錠受口
１５    錠突起
【図１】
0003131565.tif 000003
【図２】
0003131565.tif 000004
【図３】
0003131565.tif 000005
【図４】
0003131565.tif 000006